(57)【要約】【課題】  容易に張り綱の調節が正確にでき、取り扱いも容易で、張り綱も傷めない張り綱締め具を提供する。【解決手段】  所定の箇所に繋がった張り綱６を締め付けるものであり、本体１２と、本体１２の長手方向の一端部から略直角に突出するとともに、突出方向にスリット部１８が形成された巻き付け部１４を有する。巻き付け部１４に対して、本体１２の長手方向の他端部で突出した係止部２４を備える。巻き付け部１４は、本体１２と平行に広がったフランジ部１６を有し、係止部２４にも本体１２と平行に広がったフランジ部２６を有する。本体１２の側面に、張り綱６を挟着可能なＶ溝２２を設け、Ｖ溝２２はスリット部１８の両側、及び本体１２の中央部の両側に形成されている。スリット部１８とＶ溝２２の少なくとも一方の内側に、滑り止め用の凹凸部２０が設けられている。【選択図】図１
2005307551.tif 000002
【特許請求の範囲】
【請求項１】
所定の箇所に繋がった張り綱を締め付ける張り綱締め具において、張り綱締め具本体と、この本体の長手方向の一端部から略直角に突出するとともにこの突出方向にスリット部が形成された巻き付け部と、上記巻き付け部に対して上記本体の長手方向の他端部で突出した係止部と、上記本体側面に設けられ上記張り綱の端部を挟着可能な溝を設けたことを特徴とする張り綱締め具。
【請求項２】
上記巻き付け部の先端には、上記本体と平行に広がったフランジ部を有し、上記係止部の先端にも上記本体と平行に広がったフランジ部を設けたことを特徴とする請求項１記載の張り綱締め具。
【請求項３】
上記溝は、上記張り綱を挟着可能なＶ溝であることを特徴とする請求項１または２記載の張り綱締め具。
【請求項４】
上記Ｖ溝は、上記スリット部の両側、及び上記本体中央部の両側に形成されていることを特徴とする請求項３記載の張り綱締め具。
【請求項５】
上記スリット部と上記Ｖ溝の少なくとも一方の内側に、滑り止め用の凹凸部を設けたことを特徴とする請求項３または４記載の張り綱締め具。
【発明の詳細な説明】
【技術分野】
【０００１】
この発明は、テントやタープ等の張り綱の張り具合を調節する張り綱締め具に関する。
【背景技術】
【０００２】
従来、テントやタープの張り綱は、気象状況及び弛みに合わせて張り具合を調整する必要がある。一般に使用されているテントやタープの張り綱には自在金具が装備され、これを使って張り綱の張り具合を調節している。
【０００３】
また、特許文献１及び特許文献２に開示されているように、温室のシートを押さえる紐の張り具合を調節する器具もある。
【特許文献１】特開平１１−３０８９３１号公報
【特許文献２】特開平０８−１０４号公報
【発明の開示】
【発明が解決しようとする課題】
【０００４】
上記従来の張り綱締め具では、張り綱に一定以上の張力がかかっている状態が続くと、次第に緩みが出やすい。そのため、定期的に張り具合の点検が必要である。また、張り具合を調整するには、自在金具が動きやすいように、自在金具に通した張り綱を手で引っ張り、若干緩めながら、自在金具に通した張り綱を調節し、次に、手で張り綱を引っ張るのをやめ、全体の張り具合を確かめる一連の動作を繰り返す必要がある。この作業は、慣れていない人にとっては、調整作業中に張り具合の確認が難しく、面倒な作業である。さらに、自在金具の張り綱を通す穴と、その穴に通した張り綱による摩擦により張り具合を保つため、擦れにより張り綱の表面を傷める可能性がある。
【０００５】
一方、自在金具などを使わずに、結びにより張り綱の張りを調整する方法もある。この場合は、結び方が特殊なため、特別な訓練などが必要な難しいものであり、慣れていない人が容易にできるものではない。
【０００６】
また、特許文献１及び２で提案されている器具は、温室のシートを押さえる紐の張り具合を調節しているが、この器具をテントの張り綱に使用する場合は、張り綱を止めることが難しい。さらに、特許文献１及び２では、張りの調整のみで、張り綱端部を止めておくことができないという問題がある。
【０００７】
この発明は、上記従来の技術に鑑みて成されたもので、容易に張り綱の調節が正確にでき、取り扱いも容易で、張り綱も傷めない張り綱締め具を提供することを目的とする。
【課題を解決するための手段】
【０００８】
この発明は、所定の箇所に繋がった張り綱を締め付ける張り綱締め具であって、張り綱締め具本体と、この本体の長手方向の一端部から略直角に突出するとともにこの突出方向にスリット部が形成された巻き付け部と、上記巻き付け部に対して上記本体の長手方向の他端部で突出した係止部と、上記本体側面に設けられ上記張り綱の端部を挟着可能な溝を設けた張り綱締め具である。上記巻き付け部の先端には、上記本体と平行に広がったフランジ部を有し、上記係止部の先端にも上記本体と平行に広がったフランジ部を設けたものである。
【０００９】
また、上記溝は、上記張り綱を挟着可能なＶ溝である。上記Ｖ溝は、上記スリット部の両側、及び上記本体中央部の両側に形成されている。さらに、上記スリット部とＶ溝の少なくとも一方の内側に、滑り止め用の凹凸部を設けたものである。
【発明の効果】
【００１０】
この発明の張り綱締め具によれば、張り綱の張り方に慣れていない人でも、容易に張り綱の調節ができ、結ぶ必要がなく、時間経過による緩みが生じない。また、張り綱と擦れる部分が少ないため、張り綱を傷めることも少ない。
【００１１】
さらに、本体側面に溝が形成され、張り綱端部を保持することができ、特にＶ溝にして滑り止め用の凹凸部を設けることにより、確実に張り綱端部を保持することができる。
【発明を実施するための最良の形態】
【００１２】
以下、この発明の張り綱締め具の一実施形態について、図１〜図４を基にして説明する。この実施形態では、図４に示すようにテント２のシート４に設けられた張り綱６が、テント周囲の地面に打ち付けたペグ８に結ばれている。その張り綱６の中程に、張り綱締め具１０が１つずつ付けられている。
【００１３】
この張り綱締め具１０は、図１、図２に示すように、略舌片状の本体１２を備え、一端部近傍に、本体１２に対して直角に突出している巻き付け部１４が形成される。巻き付け部１４には、先端部に本体１２と平行に広がった円盤状のフランジ部１６を有し、このフランジ部１６及び巻き付け部１４には、本体１２の長手方向に対して略直角方向にテーパー状のスリット部１８が形成されている。スリット部１８は、フランジ部１６に向かうに従い幅広に形成されている。さらに、スリット部１８の内側には、滑り止めの凹凸部２０が形成されている。そして、このスリット部１８は、巻き付け部１４の中心部を通り、本体１２の表面まで達して形成されている。さらに、本体１２の中間とスリット部１８に沿った本体１２の両側面には、内部に滑り止め用の凹凸部２０が形成されたＶ溝２２が設けられている。
【００１４】
また、図１に示すように、この巻き付け１４部の位置とは本体１２の長手方向反対側である他端部近傍に、係止部２４が形成される。この係止部２４は、本体１２に対して直角に突出し、巻き付け部１４と平行に形成されている。そして、この係止部２４の上端部には、本体１２と平行に広がった円盤状のフランジ部２６が形成されている。このフランジ部２４は、フランジ部１６に比べて、小さく形成され、フランジ部２６の本体１２からの間隔は、フランジ部１６とほぼ等しく形成され、使用する張り綱６の幅よりわずかに広く形成されている。
【００１５】
この張り綱締め具１０は、適度に弾力性を有するＰＥ（ポリエチレン）やナイロンその他の合成樹脂で一体成型され、再生材料なども使用可能である。
【００１６】
次に、この張り綱締め具１０の使用方法について説明する。まず、はじめに、図４に示すようにテント２を組み立てて、テント２から適宜離れた位置に、張り綱６を引っかけるためのペグ８を地面に打ち付ける。図３に示すように、地面に打ち付けたペグ８に張り綱６を引っかけて、張り綱６の先端を本体１２中央部のＶ溝２２に挟着して張り綱の端を止め、張り綱６を本体１２の裏面側から張り綱締め具１０のスリット部１８に回して、張り綱６をスリット部１８に挟着する。さらに、ペグ８に引っかけた張り綱６の基端側の張り綱６を、張り綱締め具１０のスリット部１８に挟着する。
【００１７】
次に、本体１２の巻き付け部１４を軸として、この張り綱締め具１０を回転させる。これにより、スリット部１８に挟着された張り綱６は、巻き付け部１４に巻き取られ、さらに本体１２を回転させるに従い、張り綱６が巻き付け部１４の周囲に巻取られ、その巻き取られた分だけ、張り綱６は締め付けされる。そして、張り綱６が適度な張力となったところで、張り綱６の張力により回転しようとする方向に対して、本体１２を保持するように係止部２４をその張り綱６に掛ける。なお、回転方向は、左右どちらでも良い。また、巻き付け部１４、係止部２４には、フランジが形成されているため、張り綱６をピンと張った状態で確実に保持することができ、張り綱６が容易に外れることがない。
【００１８】
また、取り外すときは、張り綱６に係合している係止部２４を張り綱６から外せば、簡単に張り綱６の緩めや取り外しができる。
【００１９】
この実施形態の張り綱締め具１０は、張り綱６を容易に所望の張り具合に調節することができ、張り綱６の端部を結ぶ必要がなく、時間経過による緩みが生じない。さらに、本体１２の側面のＶ溝２２に張り綱６の端部を固定し、滑り止め用の凹凸部２０に食い込ませるので、確実に張り綱端部を保持することができる。Ｖ溝２は本体１２の側面の４カ所に形成され、本体１２のどの向きでも張り綱６の端部を保持可能であり、作業性がよい。さらに、この実施形態の張り綱締め具１０によれば、角部に丸みがあり、張り綱６に傷などが付かないように形成されている。
【００２０】
なお、この発明の張り綱締め具は、上実施の形態に限定されるものではなく、フランジ部はなくても良く、巻き付け部が突出していればよい。さらに、係止部は、少なくとも巻き付け部と本体の一側縁部の２ヶ所に形成されていればよく、各部材の形状や素材など適宜変更可能である。
【図面の簡単な説明】
【００２１】
【図１】この発明の実施形態の張り綱締め具の平面図である。
【図２】この実施形態の張り綱締め具の側面図である。
【図３】この実施形態の張り綱締め具の使用状態を示す概略斜視図である。
【図４】この実施形態のテントの張り綱に適用した場合の概略斜視図である。
【符号の説明】
【００２２】
２  テント
６  張り綱
１０  張り綱締め具
１２  本体
１４  巻き付け部
１６，２６  フランジ部
１８  スリット部
２２  Ｖ溝
２４  係止部
【図１】
2005307551.tif 000003
【図２】
2005307551.tif 000004
【図３】
2005307551.tif 000005
【図４】
2005307551.tif 000006